(57)【特許請求の範囲】
【請求項１】
台紙にラベル片が所定間隔で仮着されたラベル連続体と、該ラベル連続体の前記ラベル片を剥離する剥離手段と、該剥離手段に向けて前記ラベル連続体を移送する移送手段と、を設けた剥離装置を載置する架台において、
該架台の一方の側面縁部から鉛直に設けられた取付部材と、
前記ラベル連続体の移送方向に対し交差するように前記取付部材に設けられた軸と、
該軸に係止して前記軸を回動可能に操作する操作レバーと、
前記ラベル片に印字する印字器を有し前記軸に挿通可能な挿通孔を形成したスタンプガイドと、を備え、
該スタンプガイドが前記軸に着脱可能にしたことを特徴とする剥離装置の架台。
【発明の詳細な説明】
【０００１】
【発明の属する技術分野】
本発明はラベル片を剥離する剥離装置を載置する剥離装置の架台において、特に印字器を着脱可能とした剥離装置の架台に関する。
【０００２】
【従来の技術】
従来、印字機を設けた剥離装置として、実開昭５３−３７３９８号公報に開示された技術がある。
この技術は、印字機を設けた剥離装置であって、ラベル付フィルムにバックテンションをかけることによって、ラベルの剥離を良好にし、かつ本体テ−ブル面上に絶縁板を設け、フィルムを密着させることによって、鮮明な印字ができる剥離機である。
【０００３】
さらに、印字機はソレノイドによって、揺動杆を適宜揺動させ、印字信号によりソレノイドが励磁されコアが動作する。このコアの動作に連動し、印字機が移動してラベル片に印字するものであり、ソレノイドの励磁が解除されると、コアがもとに戻るので連動して印字機がもとに戻るものである。このように、印字信号によって印字機が自動的にラベル片に印字するものである。
【０００４】
このような自動的に印字する剥離装置では、印字機を上下させるための機構およびそれらを支持するための機構が必須である。このように複雑な機構を有するので、印字機を交換することができない。
したがって、好適な印字情報をラベル片に印字するときに、印字機を交換することができず、たとえば製造年月日のスタンプを有する印字機であれば、その剥離装置は製造年月日だけしか印字することしかできないという問題が発生する。しかし乍、最近製造年月日以外にも商品名、製造会社、価格さらには賞味期限など各種印字情報を印字するようになってきた。
【０００５】
【発明が解決しようとする課題】
本発明は以上のような諸問題に鑑みてなされたもので、一台の印字器付き剥離装置で各種印字情報をラベル片に印字することができ、さらに印字器を容易に交換可能とすることができる剥離装置の架台を提供することを課題とする。
【０００６】
【課題を解決するための手段】
本発明は、台紙にラベル片が所定間隔で仮着されたラベル連続体と、該ラベル連続体の前記ラベル片を剥離する剥離手段と、該剥離手段に向けて前記ラベル連続体を移送する移送手段と、を設けた剥離装置を載置する架台において、該架台の一方の側面縁部から鉛直に設けられた取付部材と、前記ラベル連続体の移送方向に対し交差するように前記取付部材に設けられた軸と、該軸に係止して前記軸を回動可能に操作する操作レバーと、前記ラベル片に印字する印字器を有し前記軸に挿通可能な挿通孔を形成したスタンプガイドと、を備え、該スタンプガイドが前記軸に着脱可能にしたものである。
【０００７】
また、取付部材を剥離装置の周面の少なくとも一側面に設けたものである。
したがって、印字器を着脱可能としたので印字器を交換することができ、一台の剥離装置で各種印字情報をラベル片に印字することができる。さらに、印字器の交換は極めて容易にできる。
【０００８】
【発明の実施の形態】
本発明の実施の形態を図１乃至図４に基づいて説明する。
剥離装置１は架台２に載置され、この架台２の一方の側面縁部から鉛直に取付部材３が配設され、この配設された取付部材３の上部の面に貫通するように軸４が軸支されている。
また、軸４は、ラベル連続体１９の移送方向に対し交差するように設けられている。
【０００９】
剥離装置１には、長尺状の台紙２０にラベル片Ｌが所定間隔で仮着されたラベル連続体１９が台紙２０からラベル片Ｌを剥離する剥離手段である剥離板２２と、剥離後の台紙２０を駆動ロ−ラ２５と従動ロ−ラ２３とによって挟持してモ−タ２４の駆動により駆動ロ−ラ２５を駆動させて台紙２０を移送する。
そして、剥離板２２の近傍すなわち剥離板２２の前方に剥離されたラベル片Ｌを検知するラベル検出手段であるラベル検知センサ２７と、リミット・スイッチ８と、制御部２６とが設けられている。
また、駆動ロ−ラ２５は歯車状のギャ−または丸ベルト（図示せず）等を介してモ−タ２４と連動している。
【００１０】
次に、図３に示す如く軸４に操作レバ−７が挿通して、軸４に係止される。
ガイド板１８は、軸４に挿通して取付部材３に係止されている。また軸４は、一部平面状に切欠面２９を有している。
また、板バネ６の一方の端部は、軸４に係止され他端はストッパ１３に当設されている。また、操作レバ−７は軸４を回動可能にするレバ−であり、この操作レバ−７の先端部に操作面９が設けられている。そして、剥離装置１の上部には、前述の接片１７を有するリミット・スイッチ８が設けられ、このリミット・スイッチ８は、操作レバ−７に対向配置されている。
【００１１】
インクを封入され、さらにスタンプを有する印字器５（市販品）がスタンプガイド１０に組み込まれて一体に形成されたのがスタンプユニット３０である。
スタンプガイド１０には、軸４の一部平面状に切欠面２９の断面より僅かに大きい挿通孔２８を有し、この挿通孔２８が軸４に挿通される。
挿通されたスタンプユニット３０は、軸４の切り欠いた面２９の任意の位置で係止できる押えボルト１５と、ラベル連続体１９を浮き上がりを防止するための押えロ−ラ１６が設けられている。
また、スタンプユニット３０は軸４を介して板バネ６に規制され、傾斜位置で待機状態となる。
【００１２】
したがって、ラベル片Ｌに製造年月日を印字する時は、製造年月日を印字可能な印字器５を組み込まれたスタンプユニット３０を軸４に挿通して、好適な位置に押さえボルト１５によって係止することにより印字することができる。また製造会社を印字するときは、上述のスタンプユニット３０の押さえボルト１５を緩め、軸４に沿ってはずし、そして製造会社を印字可能な印字器を組み込まれたスタンプユニット３０の挿通孔２８が軸４に挿通して前述のように係止することにより製造会社をラベル片Ｌに印字できる。
【００１３】
このように、印字器５が組み込まれたスタンプユニット３０は、軸４に着脱可能であり、また押さえボルト１５によって、任意の位置でスタンプユニット３０が係止できるので、スタンプユニット３０を交換することにより、製造年月日、製造会社、商品名、価格、賞味期間などの各種印字情報をラベル片Ｌに印字することができ、さらにスタンプユニット３０の交換は、極めて容易にできる。
【００１４】
ここで、操作レバ−７の操作面９を手で押圧することにより、リミット・スイッチ８が閉成し、手を操作面９から離すことにより、リミット・スイッチ８が開成する。この閉成および開成にともなって発生する信号が制御部２６に供給され、この時ラベル検知センサ２７がラベル片Ｌを検知していると、制御部２６からモ−タ２４に駆動信号を供給しないものであり、またラベル片Ｌを検知していないと、上記開成にともなって発生する信号が供給されると、制御部２６からモ−タ−２４に駆動信号が供給される。
また、ストッパ１４は操作レバ−７を押圧して回動する印字器５がラベル片Ｌに略垂直となる位置すなわち鮮明に印字する印字位置で規制するための部材である。
【００１５】
次に、動作について説明する。
剥離装置１の後位にロ−ル状ラベル連続体１２を装填し、引き出したラベル連続体１９は浮き上がりを防止をするための押えロ−ラ１６の下面を移送され、剥離部１１の剥離板２２によって、図４の矢印方向であるＦ方向にラベル片Ｌが剥離されて台紙２０のみが鋭角に方向転換する。
そして台紙２０は移送手段である駆動ロ−ラ２５と従動ロ−ラ２３によって挟持され、移送されるとともに排出される。
【００１６】
かくして、操作レバ−７の先端に設けられた操作面９を手操作で上面から押圧することにより、図２に示す如く印字器５は軸４を中心に時計方向に円弧状に回動して、ラベル片Ｌの表面を押圧して印字がされるとともに、リミット・スイッチ８に設けられた接片１７が押圧され、リミット・スイッチ８が閉成動作し、この閉成動作に伴って、閉成信号が制御部２６に供給される。
【００１７】
また、印字器５の上面から手操作で押圧することもでき、上述のようにラベル片Ｌに印字することができる。
この操作によって、操作レバ−７が連動してリミット・スイッチ８は閉成し、この閉成信号が制御部２６に供給される。
このように、操作面９または印字器５から手を離すことにより、板バネ６の付勢により印字器５が待機位置に戻るとともに、リミット・スイッチ８が開成し、この開成号が制御部２６に供給される。
【００１８】
このとき、剥離部１１にラベル片Ｌがない状態、すなわちラベル検知センサ２７がラベル片Ｌを検知していないと、ラベル検知センサ２７が制御部２６に検知信号を供給しない。従って、制御部２６からモ−タ２４に駆動信号が供給され、モ−タ２４が駆動するとともに駆動ロ−ラ２５が駆動して台紙２０を移送する。この台紙２０が移送されることによって、ラベル連続体１９の先頭に仮着されたラベル片Ｌが剥離板２２で剥離され、ラベル検知センサ２７が剥離されたラベル片Ｌを検知すると、ラベル検知センサ２７から制御部２６に検知信号が供給される。
制御部２６は、この検知信号をうけてラベル片Ｌを好適な剥離位置まで、モ−タ２４を駆動させた後、モ−タ２４への駆動信号を停止するのでモ−タ２４が停止する。
【００１９】
また、剥離部１１に剥離されたラベル片Ｌがあるとラベル検知センサ２７は、制御部２６に検知信号を供給するので、制御部２６からモ−タ２４へ駆動信号を供給しない。そして、剥離部１１に有るラベル片Ｌが除去されると、ラベル検知センサ２７から制御部２６に検知信号が停止するので、制御部２６からモ−タ２４に駆動信号が供給されて、台紙２０が移送されることによって、ラベル連続体１９に仮着された、先頭のラベル片Ｌが剥離される。
【００２０】
このように、本発明は印字器５を組み込んで一体に形成されたスタンプユニット３０を着脱可能としたもので、またスタンプユニット３０の交換を容易にするとともに、各種印字情報を印字することができる。  本発明の実施の形態では、印字器５を組み込んだスタンプユニット３０を軸４に着脱可能とした例を示したが、挿通孔２８を設けることが可能な印字器５を、軸４に着脱可能とすることもできる。このとき、スタンプガイド１０は不要である。また、取付部材３は剥離装置１の周面の少なくとも一側面に設けてもよいものである。
【００２１】
【発明の効果】
以上詳細に説明したように、本発明はスタンプを有する印字器をスタンプガイドに組み込み一体に形成されたスタンプユニットを取付部材に設けた軸に着脱可能としたので、スタンプユニットを交換することができ、一台の剥離装置で製造年月日、製造会社、商品名、価格、賞味期間などの好適な各種印字情報をラベル片に印字することができる。
しかも、スタンプユニットの交換は極めて容易にでる実利的な効果を奏するものである。
【図面の簡単な説明】
【図１】本発明の印字器付き剥離装置の概略正面図である。
【図２】本発明の印字器付き剥離装置の概略側面図である。
【図３】本発明の印字機構の構成図である。
【図４】本発明の印字器付き剥離装置の概略構成図である。
【符号の説明】
１    剥離装置
２    架台
３    取付部材
４    軸
５    印字器
１０    スタンプガイド
１１    剥離部
１５    押えボルト
１９    ラベル連続体
２０    台紙
２２    剥離板
２３    従動ロ−ラ
２４    モ−タ
２５    駆動ロ−ラ
２７    ラベル検知センサ
２８    挿通孔
２９    切欠面
３０    スタンプユニット
Ｌ    ラベル片
【図１】
0003883599.tif 000002
【図２】
0003883599.tif 000003
【図３】
0003883599.tif 000004
【図４】
0003883599.tif 000005